(57)【要約】      （修正有）【課題】ゴミ箱本体の状態が常時報告されるので、清掃スタッフが最適のタイミングでゴミ箱を空にできる太陽光スマートゴミ箱を提供する。【解決手段】太陽光スマートゴミ箱は、ゴミを収容する収容空間１１１が設けられているゴミ箱本体１１と、ゴミ箱本体の上部に設けられた太陽光パネル１２と、ゴミ箱本体内に設けられて太陽光パネルに電気的に接続され、太陽光パネルから発生する電気エネルギーを蓄積するバッテリ１３と、ゴミ箱本体内に設けられてバッテリに電気的に接続され、収容空間内のゴミの含有量を検出するとともに、ワイヤレス伝送方式でゴミ箱本体の情報を管轄機関に随時フィードバックする中央制御装置１４と、ゴミ箱本体の表面に設けられてゴミ箱本体内の収容空間と連通し、且つ、中央制御装置に電気的に接続されて、人体が近付くと自動的に開放される一方、人体が遠ざかると自動的に閉止する自動感知投入口と、圧縮装置１６と表示装置とを含む。【選択図】図２
0003222065.tif 000002
【実用新案登録請求の範囲】
【請求項１】
ゴミ箱本体、太陽光パネル、バッテリ、中央制御装置、自動感知投入口、圧縮装置及び表示装置を含み、
前記ゴミ箱本体内にはゴミを収容する収容空間が設けられており、
前記太陽光パネルはゴミ箱本体の上部に設けられており、
前記バッテリは、ゴミ箱本体内に設けられて太陽光パネルに電気的に接続され、太陽光パネルから発生する電気エネルギーを蓄積し、
前記中央制御装置は、ゴミ箱本体内に設けられてバッテリに電気的に接続され、収容空間内のゴミの含有量を検出するとともに、ワイヤレス伝送方式でゴミ箱本体の情報を管轄機関に随時フィードバックし、
前記自動感知投入口は、ゴミ箱本体の表面に設けられてゴミ箱本体内の収容空間と連通し、且つ、中央制御装置に電気的に接続されて、人体が近付くと自動的に開放される一方、人体が遠ざかると自動的に閉止し、
前記圧縮装置は、ゴミ箱本体内に設けられ、且つ、中央制御装置に電気的に接続されて、自動感知投入口の閉止後に収容空間内のゴミを圧縮し、
前記表示装置は、ゴミ箱本体の表面に設けられて中央制御装置に電気的に接続される太陽光スマートゴミ箱。
【請求項２】
該中央制御装置内には、通信ユニットが設けられている請求項１に記載の太陽光スマートゴミ箱。
【請求項３】
該中央制御装置内には、位置特定ユニットが設けられている請求項１に記載の太陽光スマートゴミ箱。
【請求項４】
該表示装置は、少なくとも１つ以上のＬＥＤランプからなる請求項１に記載の太陽光スマートゴミ箱。
【考案の詳細な説明】
【技術分野】
【０００１】
本考案は、ゴミ箱に関するものであり、より具体的には、太陽光スマートゴミ箱に関する。
【背景技術】
【０００２】
ゴミ箱は、屋外の公共施設、観光スポット、休憩所などでゴミを収集するために使用される。しかし、従来のゴミ箱には、即時にゴミ箱が満杯になったことを通知するシステムがないため、清掃担当者はゴミ箱を定期的に清掃しなければならない。ゴミ箱に詰め込まれても入らないゴミは、ゴミ箱の周辺に無造作にまき散らされる。これにより、環境衛生上好ましくないだけでなく、景観を損なうことにもなりかねない。
【０００３】
上述の各問題に対し、従来のゴミ箱監視システムを開示する文献としては、例えば特許文献１（特開２０１７−２０６３３３号公報）がある。特許文献１に開示のゴミ箱監視システムは、本体２１を有するゴミ箱２と、本体２１の内側面２５に設置され、水平方向に検知波を発信するゴミ検知センサ３と、ゴミ検知センサ３による検知情報を取得し、ゴミの蓄積状態を監視する監視装置４と、監視装置４と信号の送受信が可能に接続され、監視装置４から受信する信号に基づいてゴミの蓄積状態を通報する通報装置５と、を備えることを特徴とする（特許文献１の図１参照）。
【０００４】
上記特許文献１に開示のゴミ箱監視システムを利用することにより、消費電力を抑制しつつ、ゴミが所定の高さまで蓄積された状態を精度良く検出することができる。
【０００５】
上記のゴミ箱に対し、本出願人は、長年に亘って関連分野の研究開発に従事し、上述の欠点を掘り下げて議論するとともに上述のニーズを踏まえて積極的に解決案を模索することによって本考案を完成させた。
【先行技術文献】
【特許文献】
【０００６】
【特許文献１】特開２０１７−２０６３３３号公報
【考案の概要】
【考案が解決しようとする課題】
【０００７】
本考案の主な目的は、ゴミ箱内のゴミを掃除するタイミングを清掃スタッフに自動的に通知することができるゴミ箱を提供することである。
【課題を解決するための手段】
【０００８】
上記目的を達成するために、本考案の太陽光スマートゴミ箱は、ゴミ箱本体、太陽光パネル、バッテリ、中央制御装置、自動感知投入口、圧縮装置及び表示装置を含む。
【０００９】
ゴミ箱本体内には、ゴミを収容する収容空間が設けられている。
【００１０】
太陽光パネルは、ゴミ箱本体の上部に設けられている。
【００１１】
バッテリは、ゴミ箱本体内に設けられて太陽光パネルに電気的に接続され、太陽光パネルから発生する電気エネルギーを蓄積するために使用される。
【００１２】
中央制御装置は、ゴミ箱本体内に設けられてバッテリに電気的に接続され、収容空間内のゴミの含有量を検出するとともに、ワイヤレス伝送方式でゴミ箱本体の情報を管轄機関に随時フィードバックしている。
【００１３】
自動感知投入口は、ゴミ箱本体の表面に設けられてゴミ箱本体内の収容空間と連通し、且つ、中央制御装置に電気的に接続されて、人体が近付くと自動的に開放される一方、人体が遠ざかると自動的に閉止する。
【００１４】
圧縮装置は、ゴミ箱本体内に設けられ、且つ、中央制御装置に電気的に接続されて、自動感知投入口の閉止後に収容空間内のゴミを圧縮する。
【００１５】
表示装置は、ゴミ箱本体の表面に設けられて中央制御装置に電気的に接続される。
【考案の効果】
【００１６】
本考案の太陽光スマートゴミ箱は、以下の利点を有する。
１．中央制御装置によってゴミ箱の状態が常時報告されるので、清掃スタッフが最適のタイミングでゴミ箱を空にすることができる。
２．圧縮装置によって収容空間内のゴミが圧縮されるので、ゴミ箱内のゴミ容量を最大化することができる。
【図面の簡単な説明】
【００１７】
【図１】本考案の太陽光スマートゴミ箱の概略図である。
【図２】本考案の太陽光スマートゴミ箱の概略断面図である。
【図３】本考案の太陽光スマートゴミ箱を構成する各部の接続を示す概略図である。
【図４】本考案の太陽光スマートゴミ箱の使用状態を示す概略図（一）である。
【図５】本考案の太陽光スマートゴミ箱の使用状態を示す概略図（二）である。
【考案を実施するための形態】
【００１８】
本考案の目的、機能、特徴及び構造をより詳細に理解されるべく、図面と併せて好ましい実施形態を説明する。
【００１９】
まず、図１、図２及び図３を参照して、図１は本考案の太陽光スマートゴミ箱の概略図であり、図２は、本考案の太陽光スマートゴミ箱の概略断面図であり、図３は、本考案の太陽光スマートゴミ箱を構成する各部の接続を示す概略図である。
【００２０】
本考案の太陽光スマートゴミ箱１は、ゴミ箱本体１１、太陽光パネル１２、バッテリ１３、中央制御装置１４、自動感知投入口１５、圧縮装置１６及び表示装置１７を含む。
【００２１】
ゴミ箱本体１１内には、ゴミ２（図４参照）を収容する収容空間１１１が設けられている。
【００２２】
太陽光パネル１２は、ゴミ箱本体１１の上部に設けられており、当該太陽光パネル１２は、太陽光エネルギーを電気エネルギーに変換するために使用される。
【００２３】
バッテリ１３は、ゴミ箱本体１１内に設けられて太陽光パネル１２に電気的に接続され、太陽光パネル１２から発生する電気エネルギーを蓄積するために使用される。
【００２４】
中央制御装置１４は、ゴミ箱本体１１内に設けられてバッテリ１３に電気的に接続され、収容空間１１１内のゴミ２（図４参照）の含有量を検出するとともに、ワイヤレス伝送方式でゴミ箱本体１１の情報を管轄機関に随時フィードバックしている。中央制御装置内には、ゴミ箱本体１１を中心として周囲の人に無線でアクセスできる通信ユニット１４１と、ゴミ箱本体の場所を特定する位置特定ユニット１４２とが設けられている。
【００２５】
自動感知投入口１５は、ゴミ箱本体１１の表面に設けられてゴミ箱本体１１内の収容空間１１１と連通し、且つ、中央制御装置１４に電気的に接続されている。この自動感知投入口１５は、人体が近付くと自動的に開放される一方、人体が遠ざかると自動的に閉止する。
【００２６】
圧縮装置１６は、ゴミ箱本体１１内に設けられ、且つ、中央制御装置１４に電気的に接続されいる。この圧縮装置１６は、自動感知投入口１５の閉止後に収容空間１１１内のゴミ２（図４参照）を圧縮する。これによりゴミ箱本体１１内の容量を最大化することができる。
【００２７】
表示装置１７は、ゴミ箱本体１１の表面に設けられて中央制御装置１４に電気的に接続されている。表示装置１７は、ゴミ箱本体１１にゴミ２（図４参照）を収容するスペースが残っているかどうかを表示する。この表示装置１７は、少なくとも１つのＬＥＤライトで構成されており、異なる色彩によってゴミ箱本体１１の収容状態を表示してもよいし、異なる位置又は異なる種類のＬＥＤライトを表示することによってゴミ箱の収容状態を表示してもよい。
【００２８】
本考案の実施形態及びそれに関連する参照図面を以下に説明する。
【００２９】
続く図４及び図５を参照し、図４は、本考案の太陽光スマートゴミ箱の使用状態を示す概略図（一）であり、図５は、本考案の太陽光スマートゴミ箱の使用状態を示す概略図（二）である。
【００３０】
本実施形態の太陽光スマートゴミ箱は、ゴミ箱本体１１に人が近づいたときに自動感知投入口１５が自動的に開き、ゴミ２をゴミ箱本体１１内に捨てることができるようになり、人が離れると、自動感知投入口１５が閉められる。
【００３１】
次に、自動感知投入口１５が開閉されると、圧縮装置１６が作動することによってゴミ箱本体１１内のゴミ２が圧縮されて、当該圧縮により破砕されたゴミ２となる。これによりゴミ箱本体１１は従来よりも多くのゴミ２を収容することができるようになる。そして、圧縮装置１６による圧縮が完了した後に、中央制御装置１４は、ゴミ箱本体１１の内部のゴミ２の量を再検出する。そして、ゴミ箱本体１１にゴミ２入れることができるかどうかを表示装置１７に表示する。これによりゴミ箱本体１１がより多くのゴミ２を収容することができる。
【００３２】
最後にゴミ箱本体１１内でゴミ２が一定量を超えると、中央制御装置１４は自動的にそのゴミ箱本体１１の位置とゴミが満杯であるという情報を制御装置に伝達するとともにゴミ箱本体１１にゴミ２が満杯であるというメッセージが表示装置１７に表示される。その後、制御装置は、そのゴミ箱本体１１に清掃要員を割りあてて清掃要員に清掃させる。
【００３３】
以上を要約すると、本考案の太陽光スマートゴミ箱によれば以下の効果が得られる。
１．中央制御装置によってゴミ箱本体の状態が常時報告されるので、清掃スタッフが最適のタイミングでゴミ箱を空にすることができる。
２．圧縮装置によって収容空間内のゴミが圧縮されるので、ゴミ箱内のゴミ容量を最大化することができる。
【００３４】
上記の説明は、本発明の好ましい実施形態を説明したものに過ぎず、本明細書及び実用新案登録請求の範囲に適用される他の均等な構造的変更についても本考案の範囲に含まれるものとする。
【００３５】
本考案に関する国内外の技術情報文献を確認したところ、本考案がなされる前に同一又は類似の構造が存在しないという事実が判明した。このため、本考案及び本考案の類似製品の進歩性及び実用性が認められる。したがって、本考案は、「創造性」、「産業上の利用可能性」および「進歩性」という実用新案法上の登録要件を満たす。
【符号の説明】
【００３６】
１    太陽光スマートゴミ箱
１１    ゴミ箱本体
１１１    収容空間
１２    太陽光パネル
１３    バッテリー
１４    中央制御装置
１４１    通信ユニット
１４２    位置特定ユニット
１５    自動感知投入口
１６    圧縮装置
１７    表示装置
２    ゴミ
【図１】
0003222065.tif 000003
【図２】
0003222065.tif 000004
【図３】
0003222065.tif 000005
【図４】
0003222065.tif 000006
【図５】
0003222065.tif 000007